(57)【要約】【課題】  簡単な操作で必要な設定を確実に行うことができる端末装置を提供する。【解決手段】  外部装置を接続する外部インターフェイスと、前記外部インターフェイスに外部装置が接続されたことを検知する検知手段と、接続された外部装置の外部装置情報を取得する取得手段と、初期設定時に前記検知手段が前記外部装置の接続を検出し、前記取得手段により取得した外部装置情報により前記外部装置が通信機器の時、外部装置の種別に対応した通信設定画面を表示部２１３に順次表示させる制御部２１４と、各種設定の制御を行う設定制御部２１５を備える。【選択図】        図２
2005222287.tif 000002
【特許請求の範囲】
【請求項１】
外部装置を接続する外部インターフェイスと、前記外部インターフェイスに外部装置が接続されたことを検知する検知手段と、接続された外部装置の外部装置情報を取得する取得手段と、初期設定時に前記検知手段が前記外部装置の接続を検出し、前記取得手段により取得した外部装置情報により前記外部装置が通信機器の時、外部装置の種別に対応した通信設定画面を表示部に順次表示させる表示制御部と、各種設定の制御を行う設定制御部を有することを特徴とする端末装置。
【請求項２】
請求項１に記載の端末装置において、
外部インターフェイスはカードインターフェイスであることを特徴とする端末装置。
【請求項３】
請求項１または２に記載の端末装置において、
前記外部装置は公衆無線通信カードであり、前記表示制御部は前記公衆無線通信カードの通信事業者のサービスに対応する通信設定画面を表示部に表示させ、前記設定制御部は前記サービスに対応する設定の制御を行うことを特徴とする端末装置。
【請求項４】
請求項１または２に記載の端末装置において、
前記外部装置はネットワークカードであることを特徴とする端末装置。
【請求項５】
請求項１または２に記載の端末装置において、
前記外部装置は無線ネットワークカードであることを特徴とする端末装置。
【請求項６】
請求項１ないし５いずれかに記載の端末装置において、
前記取得手段は接続された外部装置の固有情報を取得し、
前記表示制御部は前記固有情報に対応した通信設定画面を表示部に表示させ、前記設定制御部は前記固有情報に対応した設定の制御を行うことを特徴とする端末装置。
【請求項７】
請求項６に記載の端末装置において、
前記固有情報は前記公衆無線通信カードの電話番号であることを特徴とする端末装置。
【請求項８】
請求項６に記載の端末装置において、
前記固有情報は前記ネットワークカードのＭＡＣアドレスであることを特徴とする端末装置。
【請求項９】
請求項６に記載の端末装置において、
前記固有情報は前記無線ネットワークカードのＭＡＣアドレスであることを特徴とする端末装置。
【発明の詳細な説明】
【技術分野】
【０００１】
本発明は、各種通信インターフェイス機能を持つ外部機器を接続するための外部インターフェイスを有する端末装置の通信設定に関する。
【背景技術】
【０００２】
従来から例えばＰＣカードのようなカードタイプの通信インターフェイスカードを接続して、端末装置に通信機能を適宜付加できるものが、ＰＣを始めとして多数あった。
【０００３】
ところで、ＰＣカードが接続できて、このＰＣカードにより各種通信機能を付加できる測定器が提案されている（例えば、特許文献１参照。）。また、同様にＰＣカードが接続できて、このＰＣカードにより各種通信機能を付加できるファクシミリ装置が提案されている（例えば、特許文献２参照。）。
【特許文献１】特開平１１―１３３０６４号公報
【特許文献２】特開２０００―１８３８７１号公報
【発明の開示】
【発明が解決しようとする課題】
【０００４】
しかしながら、従来のＰＣカード等の外部機器のインターフェイスを持つ端末装置では、ＰＣカード等が通信機能のカード、いわゆる通信カード等の場合に、この通信カード等を接続して実現できる機能で必要な設定を行うのに、操作が非常に複雑であり、必要な設定項目を表示部に表示するまでも時間がかかった。
【０００５】
また、表示部が小さい端末装置の場合はさらに操作が複雑になり、必要な設定が出来ないということがあった。
【０００６】
本発明は、上記のような問題点に鑑みてなされたもので、簡単な操作で必要な設定を確実に行うことができる端末装置を提供することを目的としている。
【課題を解決するための手段】
【０００７】
本発明は、次のように構成した。
【０００８】
請求項１の発明では、外部装置を接続する外部インターフェイスと、前記外部インターフェイスに外部装置が接続されたことを検知する検知手段と、接続された外部装置の外部装置情報を取得する取得手段と、初期設定時に前記検知手段が前記外部装置の接続を検出し、前記取得手段により取得した外部装置情報により前記外部装置が通信機器の時、外部装置の種別に対応した通信設定画面を表示部に順次表示させる表示制御部と、各種設定の制御を行う設定制御部を設けた。
【０００９】
請求項２の発明は、外部インターフェイスとしてカードインターフェイスを設けた。
【００１０】
請求項３の発明は、前記外部装置は公衆無線通信カードであり、前記表示制御部は前記公衆無線通信カードの通信事業者のサービスに対応する通信設定画面を表示部に表示させ、前記設定制御部は前記サービスに対応する設定の制御を行うようにした。
【００１１】
請求項４の発明は、請求項１または２の端末装置において、前記外部装置はネットワークカードであるようにした。
【００１２】
請求項５の発明は、請求項１または２の端末装置において、前記外部装置は無線ネットワークカードであるようにした。
【００１３】
請求項６の発明は、請求項１ないし５いずれかの端末装置において、
前記取得手段は接続された外部装置の固有情報を取得し、
前記表示制御部は前記固有情報に対応した通信設定画面を表示部に表示させ、前記設定制御部は前記固有情報に対応した設定の制御を行うようにした。
【００１４】
請求項７の発明は、請求項６の端末装置において、前記固有情報は前記公衆無線通信カードの電話番号とした。
【００１５】
請求項８の発明は、請求項６の端末装置において、前記固有情報は前記ネットワークカードのＭＡＣアドレスとした。
【００１６】
請求項９の発明は、請求項６の端末装置において、前記固有情報は前記無線ネットワークカードのＭＡＣアドレスとした。
【発明の効果】
【００１７】
本発明によると、請求項１の発明では、外部装置を接続する外部インターフェイスと、前記外部インターフェイスに外部装置が接続されたことを検知する検知手段と、接続された外部装置の外部装置情報を取得する取得手段と、初期設定時に前記検知手段が前記外部装置の接続を検出し、前記取得手段により取得した外部装置情報により前記外部装置が通信機器の時、外部装置の種別に対応した通信設定画面を表示部に順次表示させる表示制御部と、各種設定の制御を行う設定制御部を設けた。
【００１８】
請求項２の発明は、外部インターフェイスとしてカードインターフェイスを設けた。
【００１９】
請求項３の発明は、前記外部装置は公衆無線通信カードであり、前記表示制御部は前記公衆無線通信カードの通信事業者のサービスに対応する通信設定画面を表示部に表示させ、前記設定制御部は前記サービスに対応する設定の制御を行うようにした。
【００２０】
請求項４の発明は、請求項１または２の端末装置において、前記外部装置はネットワークカードであるようにした。
【００２１】
請求項５の発明は、請求項１または２の端末装置において、前記外部装置は無線ネットワークカードであるようにした。
【００２２】
請求項６の発明は、請求項１ないし５いずれかの端末装置において、
前記取得手段は接続された外部装置の固有情報を取得し、
前記表示制御部は前記固有情報に対応した通信設定画面を表示部に表示させ、前記設定制御部は前記固有情報に対応した設定の制御を行うようにした。
【００２３】
請求項７の発明は、請求項６の端末装置において、前記固有情報は前記公衆無線通信カードの電話番号とした。
【００２４】
請求項８の発明は、請求項６の端末装置において、前記固有情報は前記ネットワークカードのＭＡＣアドレスとした。
【００２５】
請求項９の発明は、請求項６の端末装置において、前記固有情報は前記無線ネットワークカードのＭＡＣアドレスとした。
【００２６】
このように構成したので、設定操作が非常に容易であり、必要な設定が確実に設定でき、また、特に表示部が小さい端末装置の場合でも、必要な設定が確実にできるという優れた効果がある。
【００２７】
また、設定が確実に行われるため、設定不良に起因する装置のエラー動作も無くなるという優れた効果がある。
【発明を実施するための最良の形態】
【００２８】
以下、本発明の実施例を図面について説明する。
【実施例１】
【００２９】
図１は本発明を実施した監視カメラ装置の外観図である。
【００３０】
図１において、１００は監視カメラ装置本体、１０１はカメラ部、１０２はレンズ、１０３は２行に渡って文字、記号を表示することができる液晶の表示部、１０４は各種操作を行う操作部である。また、監視カメラ装置本体１００の背面にはＰＣカードとＳＤカードを接続するインターフェイスコネクタがある（図示せず）。
【００３１】
ＰＣカードかＳＤカードにモデムやＰＨＳ、ＬＡＮ、無線ＬＡＮ等のいわゆる通信カードを接続することにより、インターネットに接続する機能を持つ。
【００３２】
図２は監視カメラ装置のブロック図である。
【００３３】
図２において、２０１は監視カメラ装置本体部、２０２はレンズ、２０３はレンズに入力された撮像を画像入力信号として処理してデジタルの画像データに変換処理する画像入力処理部、２０４は画像データを圧縮処理する画像信号圧縮処理部、２０５は圧縮された画像データや各種ファイルデータ等を格納するメモリ、２０６は電子メールの処理を行うメール処理部、２０７はデータ通信の各種処理を行うデータ通信処理部、２０８はＰＣカードを接続するＰＣカードＩＦコネクタ、２０９はＰＣカードとの各種インターフェイス処理を行うＰＣカードＩＦ部、２１０はＳＤカードを接続するＳＤカードＩＦコネクタ、２１１はＳＤカードとの各種インターフェイス処理を行うＳＤカードＩＦ部、２１２は各種の設定等を行う操作部、２１３は各種の表示を行う表示部、２１４は各部の制御等を行う制御部、２１５は各種通信、及び電子メール等の通信に関連する全ての設定を制御する通信設定制御部である。
【００３４】
次に本発明の実施例の動作について説明する。
【００３５】
〔初期設定動作〕
図３は、本発明の実施例を説明するための動作フロー図である。
【００３６】
操作部２１２により各種設定を行い、表示部２１３に設定条件等が表示される時の動作を順次説明する。
【００３７】
監視カメラ装置を初めて起動すると、まず最初に制御部２１４は図４の４０１のように表示部２１３に日時設定の入力画面を表示させる（ＳＴ１）。次に、ＰＣカードＩＦ部２０９はＰＣカードが接続されているか否かの検出を行う（ＳＴ２）。ＰＣカードが接続されていれば、ＰＣカードに格納されている属性情報（Ｃａｒｄ  Ｉｎｆｏｒｍａｔｉｏｎ  Ｓｔｒｕｃｔｕｒｅ：ＣＩＳ）を読み込む（ＳＴ３）。ＣＩＳはカードの機能を示す情報も含んでいる。さらに、製造会社、品番等の情報も取得できる。
【００３８】
次に、同様にしてＳＤカードＩＦ部２１０はＳＤカードが接続されているか否かの検出を行う（ＳＴ４）。ＳＤカードが接続されていれば、ＳＤカードの情報を読み込む（ＳＴ５）。
【００３９】
通信設定制御部２１５は接続されたＰＣカード、ＳＤカードの情報により各種設定制御を動作開始させる。
【００４０】
ここでは、説明のためＳＤカードはメモリカード、ＰＣカードは通信カード（ＣＩＳの種別としてはモデムカードかＬＡＮカード）として以降説明する。
【００４１】
なお、ここでＳＤカードとＰＣカードの両方が通信カードでも構わないし、どちらか一方のみが通信カードでなければいけないように制限をして、例えば両方、通信カードが接続された場合は表示部２１３に警告のメッセージを表示するようにしても構わない。
【００４２】
ＰＣカードの通信カードが公衆無線通信の１つであるＰＨＳカードの場合は、カードの品番からＰＨＳ事業者の情報も取得する。次にＰＨＳの場合は（ＳＴ７）、インターネットの接続にはダイヤルアップ接続をするので、図４の４０２、４０３、４０４のようにプロバイダの電話番号、ユーザＩＤ、パスワードの入力画面を入力が終了しだい、順次、次の項目に表示させる（ＳＴ８）。ここで、ＰＨＳ事業者がインターネット接続サービスを実施している場合は、このサービスに必要な電話番号、ユーザＩＤ、パスワードの初期値をあらかじめ表示させ、内容の確認操作により次の項目の表示に移行させる。ここで、インターネット接続をＰＨＳ事業者のインターネット接続サービスではなく、他のプロバイダを使用したい場合は、確認操作を行わず、各表示の所で入力を行う。そして、通信設定制御部２１はこれらの設定データを記憶する。
【００４３】
なお、ここでカード固有の情報、例えばＰＨＳカードであればＰＨＳの電話番号をここまでの設定画面の途中のどこかで表示させても良い。また、通信設定制御部２１５はカード固有の情報と共にこれらの設定データを記憶させても良い。
【００４４】
また、ＬＡＮカード、無線ＬＡＮカードの場合はこのカード固有の情報はＭＡＣアドレスになり、同様の動作をさせても良い。
【００４５】
次に監視カメラ装置のＩＰアドレスの設定項目になる。取得したカード情報により、５０１のようにＩＰアドレスを指定するか、ＩＰアドレスを自動的に取得するかのメッセージを表示する（ＳＴ９）。
【００４６】
ＰＨＳ事業者のインターネット接続サービスの場合はこのサービスに必要な表示を、その他の場合は初期値として、ＩＰアドレスを指定する表示をする。この場合、操作によりＩＰアドレスを自動的に取得するように変更できる。
【００４７】
ＩＰアドレスを指定する場合は、図５の５０３、５０４、５０５のようにＩＰアドレス設定、サブネットマスク設定、ゲートウエイアドレス設定の入力画面を入力が終了しだい、順次表示させる（ＳＴ１０）。ここでも、ＰＨＳ事業者のインターネット接続サービスの場合は、このサービスに必要な表示をさせて、内容の確認操作により次の項目の表示に移行させる。
【００４８】
次にＤＮＳの設定になる。ＩＰアドレスの設定と同様に、図６の６０１、６０２、６０３のようにＤＮＳを使用するか、サーバの割当てに従うか、指定するかの表示をカードの情報から最適な表示、設定制御を行う（ＳＴ１１）。ここで、ＤＮＳを指定する場合は、５０４、５０５のようにプライマリーＤＮＳ、セカンダリーＤＮＳの入力画面を入力が終了しだい、次の項目の表示させる（ＳＴ１２）。ここでも、ＰＨＳ事業者のインターネット接続サービスの場合は、このサービスに必要な表示をさせて、内容の確認操作により次の項目の表示に移行させる。
【００４９】
以上でインターネット接続に必要な設定が全て終了したので、監視カメラ装置で撮影した画像データ取得の通知、または画像データを添付ファイルとして送付するための電子メールに必要な設定になる。
【００５０】
ここで、電子メールを使用しない場合は（ＳＴ１３）、入力のスキップ操作を行い、次の設定項目に移行する。図７の７０１のようにメール送信サーバの名前の入力画面を表示させる（ＳＴ１４）。
【００５１】
図７の７０１の入力画面を入力が終了しだい、次に、図７の７０２、７０３、７０４のようにユーザ認証について、認証無しにするか、ＰＯＰ  ｂｅｆｏｒｅ  ＳＭＴＰにするか、ＳＭＴＰ認証にするかの表示をカードの情報から最適な表示、設定制御を行う（ＳＴ１５）。ここでもＰＨＳ事業者のインターネット接続サービスを使用する場合はこのサービスに必要な表示を、その他の場合は初期値として、ユーザ認証をＳＭＴＰ認証で行う表示にする。この場合、操作により他の設定に変更できる。ユーザ認証の設定が終了したら、ユーザ認証がＰＯＰ  ｂｅｆｏｒｅ  ＳＭＴＰに設定された場合は図７の７０５のようにＰＯＰサーバのサーバ名の入力画面を表示させる。入力が終了したら、また、ユーザ認証をＳＭＴＰ認証に設定された場合は、次に図７の７０６、７０７のようにメールのユーザＩＤ、メールのパスワードの入力画面を入力が終了しだい、次の項目の表示させる（ＳＴ１６）。
【００５２】
ユーザ認証が無い設定の場合、または、メールのパスワードの入力が終了したら、次に図８の８０１のように監視カメラ装置の使用者、または管理者のメールアドレスの入力画面を表示させる（ＳＴ１７）。このメールアドレスは、監視カメラ装置からのエラー情報等の各種通知の送付先を指定するものである。また、画像データの送信者のメールアドレスにもなる。次に、図８の８０２のように画像データの配信先メールアドレスの入力画面を表示させる（ＳＴ１８）。入力が終了したら、図８の８０３のように設定終了の確認表示を表示させる（ＳＴ１９）。
【００５３】
ここで、通信関連の設定が全て終了したので、次に、その他の例えば、画像関係の設定画面を順次表示、設定動作をさせ（ＳＴ２０）、全ての設定が終了したら（ＳＴ２１）、図８の８０４のように設定終了の表示を一定期間表示させる。そして、図８の８０５のように監視カメラ装置がアイドル状態である表示をさせる（ＳＴ２２）。
【００５４】
以上のように、通信設定制御部２１５は設定項目の入力画面の表示に必要な制御、及び設定情報の記憶といった動作を行う。
【実施例２】
【００５５】
上記実施例では、公衆無線通信カードの通信媒体としてＰＨＳを用いたが、他の無線通信の媒体でも全く同様な動作ができ、同様な効果がある。
【００５６】
また、カードインターフェイスが２つ以上、または１つであっても全く同様な動作ができ、同様な効果がある。
【００５７】
さらに、カードインターフェイスとしてＰＣカード、ＳＤカードのカードインターフェイスを用いたが、他のカードインターフェイスでも全く同様な動作ができ、同様な効果がある。
【図面の簡単な説明】
【００５８】
【図１】本発明を実施した監視カメラ装置の外観図
【図２】監視カメラ装置のブロック図
【図３】本発明の実施例を説明するための動作フロー図
【図４】表示部の画面を示す図
【図５】表示部の画面を示す図
【図６】表示部の画面を示す図
【図７】表示部の画面を示す図
【図８】表示部の画面を示す図
【符号の説明】
【００５９】
１００  監視カメラ装置本体
１０１  カメラ部
１０２  レンズ
１０３  表示部
１０４  操作部
２０１  監視カメラ装置本体部
２０２  レンズ
２０３  画像入力処理部
２０４  画像信号圧縮処理部
２０５  メモリ
２０６  メール処理部
２０７  データ通信処理部
２０８  ＰＣカードＩＦコネクタ
２０９  ＰＣカードＩＦ部
２１０  ＳＤカードＩＦコネクタ
２１１  ＳＤカードＩＦ部
２１２  操作部
２１３  表示部
２１４  制御部
２１５  通信設定制御部
【図１】
2005222287.tif 000003
【図２】
2005222287.tif 000004
【図３】
2005222287.tif 000005
【図４】
2005222287.tif 000006
【図５】
2005222287.tif 000007
【図６】
2005222287.tif 000008
【図７】
2005222287.tif 000009
【図８】
2005222287.tif 000010